【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
物体側から像側へ順に配置された、正の屈折力の第１レンズ群、負の屈折力の第２レンズ群、２つ以上のレンズ群を有し、全体として全ズーム範囲で正の屈折力の後群より構成され、ズーミングに際して隣り合うレンズ群の間隔が変化するズームレンズにおいて、
前記第２レンズ群は、物体側から像側へ順に連続して配置された２枚以上の負レンズを有し、前記２枚以上の負レンズの中で最も物体側に配置された負レンズを負レンズＧ２１、前記２枚以上の負レンズに含まれ、前記負レンズＧ２１とは異なる負レンズを負レンズＧ２２とするとき、
前記負レンズＧ２１の物体側のレンズ面は、正の非球面量を有する非球面形状のレンズ面であり、
前記負レンズＧ２１の像側のレンズ面と、前記負レンズＧ２２の物体側のレンズ面と、前記負レンズＧ２２の像側のレンズ面のうち、少なくとも１つのレンズ面は正の非球面量を有する非球面形状のレンズ面であり、少なくとも１つのレンズ面は負の非球面量を有する非球面形状のレンズ面であることを特徴とするズームレンズ。
【請求項２】
前記第２レンズ群の最も物体側のレンズ面から、前記第２レンズ群に含まれる非球面形状のレンズ面の中で最も像側に位置するレンズ面までの光軸上の距離をＤａｓｐ３、前記第２レンズ群の最も物体側のレンズ面から、前記第２レンズ群の最も像側のレンズ面までの光軸上の距離をＢＬＤ２とするとき、
０．１５＜Ｄａｓｐ３／ＢＬＤ２＜０．６０
なる条件式を満足することを特徴とする請求項１に記載のズームレンズ。
【請求項３】
前記第２レンズ群は、３枚以上の負レンズと２枚以上の正レンズを有することを特徴とする請求項１又は２に記載のズームレンズ。
【請求項４】
前記第１レンズ群の焦点距離をｆ１、広角端における全系の焦点距離をｆｗとするとき、
４．０＜ｆ１／ｆｗ＜８．０
なる条件式を満足することを特徴とする請求項１乃至３のいずれか１項に記載のズームレンズ。
【請求項５】
前記第２レンズ群の焦点距離をｆ２、広角端における全系の焦点距離をｆｗとするとき、
０．６０＜｜ｆ２｜／ｆｗ＜１．１０
なる条件式を満足することを特徴とする請求項１乃至４のいずれか１項に記載のズームレンズ。
【請求項６】
前記後群は物体側から像側へ順に配置された、正の屈折力の第３レンズ群、負の屈折力の第４レンズ群、正の屈折力の第５レンズ群より構成されることを特徴とする請求項１乃至５のいずれか１項に記載のズームレンズ。
【請求項７】
広角端から望遠端へのズーミングに際して、前記第１レンズ群、前記第３レンズ群、前記第４レンズ群、前記第５レンズ群は物体側へ移動し、前記第２レンズ群は物体側に凸状の軌跡で移動することを特徴とする請求項６に記載のズームレンズ。
【請求項８】
広角端から望遠端へのズーミングに際して、前記第１レンズ群、前記第３レンズ群、前記第４レンズ群、前記第５レンズ群は物体側へ移動し、前記第２レンズ群は像側に凸状の軌跡で移動することを特徴とする請求項６に記載のズームレンズ。
【請求項９】
広角端から望遠端へのズーミングに際して、前記第１レンズ群、前記第３レンズ群、前記第４レンズ群、前記第５レンズ群は物体側へ移動し、前記第２レンズ群は物体側へ単調に移動することを特徴とする請求項６に記載のズームレンズ。
【請求項１０】
前記後群は、物体側から像側へ順に配置された、正の屈折力の第３レンズ群、正の屈折力の第４レンズ群、負の屈折力の第５レンズ群、正の屈折力の第６レンズ群より構成され、広角端から望遠端へのズーミングに際して全てのレンズ群が物体側へ移動することを特徴とする請求項１乃至５のいずれか１項に記載のズームレンズ。
【請求項１１】
前記後群は、物体側から像側へ順に配置された、正の屈折力の第３レンズ群、負の屈折力の第４レンズ群より構成され、広角端から望遠端へのズーミングに際して全てのレンズ群が物体側へ移動することを特徴とする請求項１乃至５のいずれか１項に記載のズームレンズ。
【請求項１２】
請求項１乃至１１のいずれか１項に記載のズームレンズと該ズームレンズによって形成される像を受光する撮像素子を有することを特徴とする撮像装置。
【手続補正２】
【補正対象書類名】明細書
【補正対象項目名】０００９
【補正方法】変更
【補正の内容】
【０００９】
本発明のズームレンズは、物体側から像側へ順に配置された、正の屈折力の第１レンズ群、負の屈折力の第２レンズ群、２つ以上のレンズ群を有し、全体として全ズーム範囲で正の屈折力の後群より構成され、ズーミングに際して隣り合うレンズ群の間隔が変化するズームレンズにおいて、
前記第２レンズ群は、物体側から像側へ順に連続して配置された２枚以上の負レンズを有し、前記２枚以上の負レンズの中で最も物体側に配置された負レンズを負レンズＧ２１、前記２枚以上の負レンズに含まれ、前記負レンズＧ２１とは異なる負レンズを負レンズＧ２２とするとき、
前記負レンズＧ２１の物体側のレンズ面は、正の非球面量を有する非球面形状のレンズ面であり、
前記負レンズＧ２１の像側のレンズ面と、前記負レンズＧ２２の物体側のレンズ面と、前記負レンズＧ２２の像側のレンズ面のうち、少なくとも１つのレンズ面は正の非球面量を有する非球面形状のレンズ面であり、少なくとも１つのレンズ面は負の非球面量を有する非球面形状のレンズ面であることを特徴としている。
【手続補正３】
【補正対象書類名】明細書
【補正対象項目名】００１２
【補正方法】変更
【補正の内容】
【００１２】
以下に本発明の好ましい実施形態を添付の図面に基づいて詳細に説明する。本発明のズームレンズは、物体側より像側へ順に配置された、正の屈折力の第１レンズ群、負の屈折力の第２レンズ群、２つ以上のレンズ群を含み、全ズーム範囲において全体として正の屈折力の後群よりなっている。ズーミングに際して隣り合うレンズ群の間隔が変化する。
【手続補正４】
【補正対象書類名】明細書
【補正対象項目名】００３４
【補正方法】変更
【補正の内容】
【００３４】
具体的には、第２レンズ群Ｌ２は物体側から像側へ順に、連続して配置された２枚以上の負レンズを有するようにしている。２枚以上の負レンズの中で最も物体側に配置された負レンズを負レンズＧ２１、２枚以上の負レンズに含まれ、負レンズＧ２１とは異なる負レンズを、負レンズＧ２２とする。
【手続補正５】
【補正対象書類名】明細書
【補正対象項目名】００４７
【補正方法】変更
【補正の内容】
【００４７】
各実施例において、後群ＬＲは物体側から像側へ順に配置された、正の屈折力の第３レンズ群Ｌ３、負の屈折力の第４レンズ群Ｌ４、正の屈折力の第５レンズ群Ｌ５より構成されている。そして広角端から望遠端へのズーミングに際して、第１レンズ群Ｌ１、第３レンズ群Ｌ３、第４レンズ群Ｌ４、第５レンズ群Ｌ５は物体側へ移動している。第２レンズ群Ｌ２は物体側に凸状の軌跡で、又は像側に凸状の軌跡で、又は物体側へ単調に移動する。
【手続補正６】
【補正対象書類名】明細書
【補正対象項目名】００４８
【補正方法】変更
【補正の内容】
【００４８】
又は後群ＬＲは物体側から像側へ順に配置された、正の屈折力の第３レンズ群Ｌ３、正の屈折力の第４レンズ群Ｌ４、負の屈折力の第５レンズ群Ｌ５、正の屈折力の第６レンズ群Ｌ６より構成されている。そして広角端から望遠端へのズーミングに際して全てのレンズ群が物体側へ移動する。又は後群ＬＲは物体側から像側へ順に配置された、正の屈折力の第３レンズ群Ｌ３、負の屈折力の第４レンズ群Ｌ４より構成されている。そして広角端から望遠端へのズーミングに際して全てのレンズ群が物体側へ移動する。
【手続補正７】
【補正対象書類名】明細書
【補正対象項目名】００４９
【補正方法】変更
【補正の内容】
【００４９】
以下、各実施例のレンズ構成について説明する。実施例１は、物体側より像側へ順に配置された、正の屈折力の第１レンズ群Ｌ１、負の屈折力の第２レンズ群Ｌ２、２つ以上のレンズ群を有する後群ＬＲより構成されている。後群ＬＲは物体側から像側へ順に配置された、正の屈折力の第３レンズ群Ｌ３、負の屈折力の第４レンズ群Ｌ４、正の屈折力の第５レンズ群Ｌ５で構成される。実施例１はズーム比１２の５群ズームレンズである。後群ＬＲはズーム全域において正の屈折力である。
【手続補正８】
【補正対象書類名】明細書
【補正対象項目名】００６３
【補正方法】変更
【補正の内容】
【００６３】
実施例５は物体側より像側へ順に配置された、正の屈折力の第１レンズ群Ｌ１、負の屈折力の第２レンズ群Ｌ２、２つ以上のレンズ群を有する後群ＬＲより構成されている。後群ＬＲは物体側から像側へ順に、正の屈折力の第３レンズ群Ｌ３、正の屈折力の第４レンズ群Ｌ４、負の屈折力の第５レンズ群Ｌ５、正の屈折力の第６レンズ群Ｌ６で構成される。実施例５はズーム比１２の６群ズームレンズである。後群ＬＲはズーム全域において正の屈折力である。広角端から望遠端へのズーミングに際し、全てのレンズ群が物体側へ移動している。
【手続補正９】
【補正対象書類名】明細書
【補正対象項目名】００６７
【補正方法】変更
【補正の内容】
【００６７】
実施例６は、物体側より像側へ順に配置された、正の屈折力の第１レンズ群Ｌ１、負の屈折力の第２レンズ群Ｌ２、２つ以上のレンズ群を有する後群ＬＲより構成されている。後群ＬＲは物体側から像側へ順に、正の屈折力の第３レンズ群Ｌ３、負の屈折力の第４レンズ群Ｌ４で構成される。実施例６はズーム比８．２の４群ズームレンズである。後群ＬＲはズーム全域において正の屈折力である。
【手続補正１０】
【補正対象書類名】明細書
【補正対象項目名】００７４
【補正方法】変更
【補正の内容】
【００７４】
なる式で表している。また［ｅ＋Ｘ］は［×１０＋ｘ］を意味し、［ｅ−Ｘ］は［×１０−ｘ］を意味している。非球面は面番号の後に＊を付加して示す。また、各光学面の間隔dが（可変）となっている部分は、ズーミングに際して変化するものであり、別表に焦点距離に応じた面間隔を記している。また、各光学面の有効径が（可変）となっている部分は、ズーミングに際して変化するものであり、別表に可変面番号を「ｅａｉ」とし、焦点距離に応じた有効径を記している。また前述の各パラメータ及び各条件式と数値実施例の関係を表１に示す。